(57)【要約】【課題】車両に用いられたとしても雄コネクタの端子が短絡することを抑制できるコネクタ構造を提供すること。【解決手段】雄コネクタＭに、ハウジング８と、ハウジング８内に互いに間隔をおいて配設されると共に雌コネクタＦの挿抜方向に延在する複数の雄側端子３５とを設ける。ハウジング８に、挿抜方向に延在して雌コネクタＦが挿抜される挿抜口と、挿抜方向に直交する直交方向に延在してハウジング８を貫通する遮蔽板用孔とを設ける。絶縁性材料で構成される遮蔽板Ｓを、雌コネクタＦの先端部６９と、ハウジング８において先端部６９に挿抜方向に対向する底部３１の底面３６との間に配設し、遮蔽板Ｓで複数の雄側端子３５の端子間を遮蔽する。【選択図】図６
2018026224.tif 000002
【特許請求の範囲】
【請求項１】
雄コネクタと、
前記雄コネクタに対して相対的に挿抜される雌コネクタと、を備え、
前記雄コネクタは、ハウジングと、前記ハウジング内に互いに間隔をおいて配設されると共に前記雌コネクタの挿抜方向に延在する複数の雄側端子と、を有し、
前記ハウジングには、前記挿抜方向に延在して前記雌コネクタが挿抜される挿抜口と、前記挿抜方向に直交する直交方向に延在して前記ハウジングを貫通する遮蔽板用孔とが設けられ、
さらに、前記雌コネクタの先端部と、前記ハウジングにおいて前記先端部に前記挿抜方向に対向する底部との間に前記遮蔽板用孔を介して挿入され、前記複数の雄側端子の端子間を遮蔽する遮蔽板を備える、コネクタ構造。
【発明の詳細な説明】
【技術分野】
【０００１】
本発明は、雄コネクタと、それに接続される雌コネクタとを備えるコネクタ構造に関する。
【背景技術】
【０００２】
従来、コネクタ構造としては、特許文献１に記載されているものがある。このコネクタ構造は、車両のバッテリにおける電池セルの端子と、バッテリの充電状況等を監視するバッテリ監視装置とを電気的に接続するために用いられる。このコネクタ構造の雄コネクタは、雌コネクタが挿抜される挿抜口を有する雄用ハウジングと、その雄用ハウジング内に配設されると共に雌コネクタの挿抜方向に延在する雄側端子を有する。他方、雌コネクタは、ブロック状の挿入部を有し、その挿入部には、上記挿抜方向に延在して雄側端子が挿入される端子挿入孔が設けられる。雌コネクタの挿入部は、雄コネクタのハウジングの底面に接触するまで雄用ハウジングに挿入されると、雄側端子の先端が、雌コネクタの端子挿入孔を通過して端子挿入孔の一方側にある雌側端子に接触し、雄コネクタと雌コネクタとが電気的に接続される。
【先行技術文献】
【特許文献】
【０００３】
【特許文献１】特開２０１６−０６６５６１号公報
【発明の概要】
【発明が解決しようとする課題】
【０００４】
コネクタ接続が実行された際、雄コネクタの嵌合面を構成する雄用ハウジングの底面と、雌用コネクタの嵌合面を構成するブロック状の挿入部の先端面との間に僅かな隙間が生じることがある。そのような場合、車両振動等による金属異物の移動によって、隣接する雄側端子が金属異物を介して接続し、雄側端子の短絡が発生する虞がある。
【０００５】
本発明の目的は、車両に用いられたとしても雄コネクタの端子が短絡することを抑制できるコネクタ構造を提供することにある。
【課題を解決するための手段】
【０００６】
本発明に係るコネクタ構造は、雄コネクタと、前記雄コネクタに対して相対的に挿抜される雌コネクタと、を備え、前記雄コネクタは、ハウジングと、前記ハウジング内に互いに間隔をおいて配設されると共に前記雌コネクタの挿抜方向に延在する複数の雄側端子と、を有し、前記ハウジングには、前記挿抜方向に延在して前記雌コネクタが挿抜される挿抜口と、前記挿抜方向に直交する直交方向に延在して前記ハウジングを貫通する遮蔽板用孔とが設けられ、さらに、前記雌コネクタの先端部と、前記ハウジングにおいて前記先端部に前記挿抜方向に対向する底部との間に前記遮蔽板用孔を介して挿入され、前記複数の雄側端子の端子間を遮蔽する遮蔽板を備える。
【発明の効果】
【０００７】
本発明に係るコネクタ構造によれば、例えば、雄コネクタと雌コネクタとを嵌合させた後に、遮蔽板を、遮蔽板用孔を介してハウジング内に挿入して、雌コネクタの先端部とハウジングの底部との間に配置できる。したがって、その挿入によって、雌コネクタの先端部とハウジングの底部との間にある金属異物を雄側端子から離れたハウジングの内面（ハウジングにおける遮蔽板挿抜方向の遮蔽板用孔側とは逆側の内面）側に押し出すことができ、かつ金属異物をその内面と、遮蔽板とで挟み込むことができる。よって、金属異物を端子から離れた状態で移動不可にできるので、端子間の短絡を抑制できる。更には、挿入された遮蔽板で複数の雄側端子の端子間を遮蔽でき、この点からも端子間の短絡を抑制できる。その結果、コネクタ構造を車両に用いたとしても雄コネクタの雄側端子が短絡することを抑制できる。
【図面の簡単な説明】
【０００８】
【図１】ハイブリッド車両に搭載されたバッテリとバッテリ監視装置側との間の電気的接続の概略を説明するための図である。
【図２】雄コネクタの構造を説明するための図であり、（ａ）は、雄コネクタの正面図であり、（ｂ）は、（ａ）を矢印Ｄから見たときの雄コネクタの左側面図である。また、（ｃ）は、（ａ）を矢印Ｅから見たときの雄コネクタの平面図であり、（ｄ）は、（ａ）を矢印Ｇから見たときの雄コネクタの右側面図である。
【図３】雄コネクタと雌コネクタの接続動作を説明するための模式断面図である。
【図４】遮蔽板の構造と、遮蔽板を雄コネクタに挿入する動作を説明するための模式図である。
【図５】遮蔽板の嵌合部が最後まで雄コネクタの内部室に挿入された状態における図４に対応する断面図である。
【図６】雄コネクタ、雌コネクタ及び遮蔽板が統合された状態のコネクタ構造を示す図３に対応する断面図である。
【発明を実施するための形態】
【０００９】
以下に、本発明に係る実施の形態について添付図面を参照しながら詳細に説明する。以下において複数の実施形態や変形例などが含まれる場合、それらの特徴部分を適宜に組み合わせて新たな実施形態を構築することは当初から想定されている。
【００１０】
図１は、ハイブリッド車両に搭載されたバッテリＢとバッテリ監視装置Ｗ側との間の電気的接続の概略を説明するための図である。バッテリＢは、複数の電池セル１よりなる組電池である。各電池セル１は、上面に一対の電極２を有し、複数の電池セル１は、組み合わせ時には電極２が設けられた面が同方向を向くように密着状態で整列している。また、並び方向に隣接する電極２間は、バスバー３によって電気的に接続されている。
【００１１】
バスバー３は、例えば銅、銅合金、ステンレス鋼等の導電性を有する金属製の板材よりなり、一対の貫通孔を有する。バスバー３のその貫通孔を、並び方向で隣接する電極２に挿通させて、隣接する電極２同士をバスバー３によって電気的に接続する。全電池セル１は、例えば、バスバー３によって直列に接続される。
【００１２】
全電池セル１のうち並び方向の両端に配置された電池セル１の一方の電極２はバスバー３に接続されていない。各バスバー３によって接続された両電極２のうちの一方の電極２（例えば正極側）及びバスバー３に接続されない単独電極には、検知用電線４の一端側が電気的に接続される。
【００１３】
各検知用電線４は、バッテリＢの上面の中央部に集約され、各電池セル１の並び方向に沿うようにして配索されて、バッテリ監視装置Ｗ側へ延出される。各検知用電線４の他端側には雌側端子５５（図３参照）が取り付けられる。各雌側端子５５は、バッテリ監視装置Ｗの一部を構成する雌コネクタＦの内部に配設される。
【００１４】
バッテリ監視装置Ｗは、図示しないボックス体（ＥＣＵボックス）内部に配設され、ボックス体内部にはプリント基板Ｐ及びこのプリント基板Ｐにねじ等を介して装着された雄コネクタＭ（プリント基板用コネクタ）が収容される。雄コネクタＭは、ハウジング８と、ハウジング８内に配設された複数の雄側端子３５（図２参照）を有する。雌コネクタＦ及び雄コネクタＭは、本開示の一実施形態に係るコネクタ構造１０に含まれる。雌コネクタＦと雄コネクタＭとが電気的に接続されると、バッテリ監視装置Ｗの制御部と、各電池セル１とが電気的に接続される。バッテリ監視装置Ｗは、各検知用電線４からの信号に基づいて各電池セル１の電圧を測定し、バッテリＢの充電状態等を監視する。
【００１５】
図２は、雄コネクタＭの構造を説明するための図である。詳しくは、（ａ）は、雄コネクタＭの正面図であり、（ｂ）は、（ａ）を矢印Ｄから見たときの雄コネクタＭの左側面図である。また、（ｃ）は、（ａ）を矢印Ｅから見たときの雄コネクタＭの平面図であり、（ｄ）は、（ａ）を矢印Ｇから見たときの雄コネクタＭの右側面図である。なお、（ａ）を矢印Ｈから見たときの雄コネクタＭの底面図は、（ｃ）に示す雄コネクタＭの平面図と一致する。
【００１６】
図２（ａ）に示すように、雄コネクタＭのハウジング８は、略直方体状の内部室３３を画定し、雌コネクタＦが挿抜される挿抜方向（以下、Ｘ方向という）に開口する略矩形の挿抜口３０を有する。ハウジング８の内部室３３内には、６つの雄側端子３５が配設される。各雄側端子３５は、ハウジング８のＸ方向一方側にある底部３１の底面３６からＸ方向他方側にＸ方向に延在する。６つの雄側端子３５は、雄コネクタＭの高さ方向（以下、Ｚ方向という）に２列で、雄コネクタＭの幅方向（以下、Ｙ方向という）に３列に配置される。なお、図２に示す例では、雄コネクタＭのハウジング８が、略直方体状の内部室３３を画定し、内部室３３内に６つの雄側端子３５が配設された。しかし、雄コネクタのハウジングは、如何なる形状の内部室を画定してもよく、その内部室には如何なる数の雄側端子が配設されてもよい。
【００１７】
図２（ｂ）に示すように、ハウジング８のＹ方向一方側に位置する側壁部４０には、Ｙ方向（挿抜方向に直交する直交方向）に延在してハウジング８を貫通する遮蔽板用孔３４が設けられる。遮蔽板用孔３４は、Ｚ方向に延在する開口３８を有する長孔である。遮蔽板用孔３４は、Ｘ方向においてハウジング８の底面３６（図２（ａ）参照）側に設けられる。遮蔽板用孔３４からは、Ｙ方向一方側に配設された２つの雄側端子３５ａ,３５ｂが視認される。それら２つの雄側端子３５ａ,３５ｂは、Ｚ方向に間隔をおいた状態でＸ方向に延在する。
【００１８】
図２（ｃ）,（ｄ）に示すように、ハウジング８のＺ方向両側に位置する２つの側壁部４１、及びＹ方向他方側に位置する側壁部４２は、孔がない平板部で構成される。その結果、ハウジング８の側壁には、ハウジング８をＹ方向（挿抜方向に直交する直交方向）に貫通する１つの遮蔽板用孔３４が設けられる。
【００１９】
図３は、雄コネクタＭと雌コネクタＦの接続動作を説明するための模式断面図である。図３では、雄コネクタＭは、図２（ａ）のＡ‐Ａ線断面図が示され、雌コネクタＦは、雄コネクタＭと同一の切断面で切断されたときの断面図が示される。このことから、図３では、雄コネクタＭにおいては、図２（ａ）においてＹ方向中央に配設される２つの雄側端子３５ｃ,３５ｄが視認される。
【００２０】
図３に示すように、雌コネクタＦは、ブロック状の嵌合部５３と、係合部５４を有する。ブロック状の嵌合部５３は、雄コネクタＭの内部室３３における挿抜口３０側部分に対応する形状を有し、内部室３３に挿抜される。一方、係合部５４のＺ方向幅は、内部室３３のＺ方向幅よりも大きく、係合部５４は、内部室３３に挿抜不可能になっている。詳しくは、係合部５４は、Ｚ方向に延在する段部５８を有し、係合部５４を内部室３３に挿入しようとしても、その段部５８が雄コネクタＭのＺ方向における挿抜口側の端面３９に引っ掛かる。それで、係合部５４は、内部室３３に侵入不可能になっている。
【００２１】
雌コネクタＦの段部５８が雄コネクタＭの端面３９に当接するまで、雌コネクタＦを雄コネクタＭに対して図３に矢印Ｈで示す方向（Ｚ方向）に相対移動させると、雌コネクタＦの嵌合部５３が雄コネクタＭの内部室３３に挿入される。雌コネクタＦの嵌合部５３には、その嵌合部５３が雄コネクタＭの内部室３３に嵌合している状態で雄側端子３５の配設個所に対応する個所に雄側端子挿抜孔６４が設けられる。雄側端子挿抜孔６４は、Ｚ方向に延在する。雌コネクタＦの嵌合部５３が雄コネクタＭの内部室３３に挿入されると、雄側端子３５が雄側端子挿抜孔６４に入り込む。雌コネクタＦにおける雄側端子挿抜孔６４の係合部５４側の底部には、雌側端子５５が設けられる。雌コネクタＦの段部５８が雄コネクタＭの端面３９に当接している状態で、雄側端子挿抜孔６４内の雄側端子３５が雄側端子挿抜孔６４の底部を構成する雌側端子５５に接触し、雄コネクタＭの雄側端子３５と、雌コネクタＦの雌側端子５５とが、電気的に接続する。
【００２２】
図４は、遮蔽板Ｓの構造と、遮蔽板Ｓを雄コネクタＭに挿入する動作を説明するための模式図である。図４では、雄コネクタＭは、図２（ｂ）のＣ-Ｃ線断面図が示され、遮蔽板Ｓは、雄コネクタＭと同一の切断面で切断されたときの断面図が示される。
【００２３】
図４を参照して、遮蔽板Ｓは、樹脂等の絶縁性を有する材質からなる板材で構成される。遮蔽板Ｓは、係止部７０及び嵌合部７１を含み、係止部７０は、Ｚ方向に延在する長尺形状（帯形状）を有する一方、嵌合部７１は、係止部７０のＺ方向中央部からＹ方向一方側に延在する。
【００２４】
図２（ｃ）を参照して、遮蔽板Ｓの厚さは、遮蔽板用孔３４のＸ方向長さと同一かそれより僅かに薄い。また、図４に示すように、係止部７０のＺ方向長さは、雄コネクタＭの内部室３３のＺ方向長さよりも長く、嵌合部７１のＺ方向長さは、内部室３３のＺ方向長さと同一かそれより僅かに短い。更には、嵌合部７１のＹ方向長さは、雄コネクタＭのハウジング８におけるＹ方向他方側の側壁部４２の内面４７から遮蔽板用孔３４の開口までのＹ方向長さと同一かそれより僅かに短い。その結果、遮蔽板Ｓの係止部７０が、雄コネクタＭのＹ方向一方側の側壁部４０に接触するまで、遮蔽板Ｓを雄コネクタＭに対して図４に矢印Ｉで示す方向（Ｙ方向）に相対移動させると、遮蔽板Ｓの嵌合部７１が雄コネクタＭの内部室３３に挿入される。
【００２５】
遮蔽板Ｓの嵌合部７１には、その嵌合部７１が雄コネクタＭの内部室３３に嵌合している状態で雄側端子３５の配設箇所に対応する箇所に６つの雄側端子隔離部８１〜８６が設けられる。詳しくは、嵌合部７１は、平面視で略矩形の形状を有する第１及び第２嵌合部７１ａ,７１ｂを含み、第１及び第２嵌合部７１ａ,７１ｂの夫々は、Ｙ方向に延在する。第１嵌合部７１ａと、第２嵌合部７１ｂとは、Ｙ方向に延在する帯状の隙間８８を介してＺ方向に対向する。
【００２６】
第１嵌合部７１ａには、第１乃至第３雄側端子隔離部８１〜８３が設けられる。第１乃至第３雄側端子隔離部８１〜８３は、Ｙ方向に間隔をおいて配置される。第１及び第２雄側端子隔離部８１,８２は、遮蔽板Ｓをその厚さ方向（Ｘ方向）に貫通する貫通孔で構成される。一方、第３雄側端子隔離部８３は、遮蔽板Ｓをその厚さ方向（Ｘ方向）に貫通する切欠で構成され、当該切欠は、Ｙ方向他方側に開口する。また、第１嵌合部７１ａは、平面視において略同一直線上に位置する第１及び第２切れ目（切込）９１,９２を有する。第１切れ目９１は、Ｙ方向に延在して第１雄側端子隔離部８１と第２雄側端子隔離部８２とを繋ぎ、第２切れ目９２は、Ｙ方向に延在して第２雄側端子隔離部８２と第３雄側端子隔離部８３とを繋ぐ。
【００２７】
また、同様に、第２嵌合部７１ｂには、第４乃至第６雄側端子隔離部８４〜８６が設けられる。第４乃至第６雄側端子隔離部８４〜８６は、Ｙ方向に間隔をおいて配置される。第４及び第５雄側端子隔離部８４,８５は、遮蔽板Ｓをその厚さ方向（Ｘ方向）に貫通する貫通孔で構成される。一方、第６雄側端子隔離部８６は、遮蔽板Ｓをその厚さ方向（Ｘ方向）に貫通する切欠きで構成され、当該切欠は、Ｙ方向他方側に開口する。また、第２嵌合部７１ｂは、平面視において略同一直線上に位置する第３及び第４切れ目（切込）９３,９４を有する。第３切れ目９３は、Ｙ方向に延在して第３雄側端子隔離部８３と第４雄側端子隔離部８４とを繋ぎ、第４切れ目９４は、Ｙ方向に延在して第５雄側端子隔離部８５と第６雄側端子隔離部８６とを繋ぐ。
【００２８】
遮蔽板Ｓの係止部７０が雄コネクタＭの側壁部４０に接触して遮蔽板Ｓの嵌合部７１が雄コネクタＭの内部室３３に挿入された状態で、第１乃至第６雄側端子隔離部８４〜８６は、嵌合部７１において雄側端子３５の配設個所に対応する個所に設けられる。図４を参照して、遮蔽板Ｓを、雄コネクタＭに対して矢印Ｉ方向に相対移動させると、例えば、図４において左上側に位置する雄側端子３５ａは、第３雄側端子隔離部８３を通過した後、第２切れ目９２をＺ方向に押し広げた状態でＹ方向の係止部７０側に移動して第２雄側端子隔離部８２に収容される。その後、更に、当該雄側端子３５ａは、第２雄側端子隔離部８２を通過した後、第１切れ目９１をＺ方向に押し広げた状態でＹ方向の係止部７０側に移動して第１雄側端子隔離部８１に収容される。
【００２９】
第１嵌合部７１ａと、第２嵌合部７１ｂとのＺ方向の間にＹ方向に延在する帯状の隙間８８が存在するから、各切れ目９１〜９４をＺ方向へ押し広がる動作が可能になる。同様の動作で、遮蔽板Ｓを、雄コネクタＭに対して矢印Ｉ方向に相対移動させると、各雄側端子３５は、対応する雄側端子隔離部８３に近づくようにＹ方向に移動する。遮蔽板Ｓの係止部７０が雄コネクタＭの側壁部４０に接触するまで、遮蔽板Ｓが雄コネクタＭの内部室３３に挿入されると、Ｙ方向に押し広げられていた各切れ目９１〜９４が元の位置に戻り、各雄側端子３５が対応する雄側端子隔離部８３に収容される。
【００３０】
図５は、遮蔽板Ｓの嵌合部７１が最後まで雄コネクタＭの内部室３３に挿入された状態における図４に対応する断面図である。
【００３１】
図５に示すように、嵌合部７１が最後まで内部室３３に挿入された状態で、嵌合部７１の先端面７７がＹ方向他方側の側壁部４２の内面４７に当接し、切欠型の第３及び第６雄側端子隔離部８３,８６におけるＹ方向の開口が当該内面４７で封鎖される。遮蔽板Ｓは、６つの雄側端子３５ａ〜３５ｆの端子間を遮蔽する。詳しくは、図５において右上に位置する雄側端子３５ｅが第３雄側端子隔離部８３及び内面４７で取り囲まれ、右下に位置する雄側端子３５ｆが第６雄側端子隔離部８６及び内面４７で取り囲まれる。また、それ以外の４つの雄側端子３５ａ〜３５ｄも、貫通孔型の第１,第２,第４及び第５雄側端子隔離部８１,８２,８４,８５で取り囲まれる。その結果、各雄側端子３５ａ〜３５ｆが樹脂等の絶縁材質で取り囲まれ、６つの雄側端子３５ａ〜３５ｆの端子間が当該樹脂等の絶縁材質で遮蔽される。
【００３２】
図６は、雄コネクタＭ、雌コネクタＦ及び遮蔽板Ｓが統合された状態のコネクタ構造１０を示す図３に対応する断面図である。
【００３３】
図６に示す３つの部材Ｍ,Ｆ,Ｓの統合状態は、雌コネクタＦの嵌合部５３を雄コネクタＭの内部室３３に最後まで挿入した後、遮蔽板Ｓを雄コネクタＭの遮蔽板用孔３４（図２（ｂ）参照）を介して内部室３３に最後まで挿入することによって構成される。図６に示すように、当該統合状態で、雌コネクタＦの段部５８が雄コネクタＭの挿抜口側の端面３９に当接し、雄側端子３５と雌側端子５５とが互いに接触して電気的に接続される。
【００３４】
また、この統合状態で、遮蔽板Ｓは、雌コネクタＦの嵌合部５３の先端部６９と、雄コネクタＭのハウジング８の底面３６とで隙間なく挟持される。なお、遮蔽板Ｓの厚さ（Ｘ方向の寸法）が雌コネクタＦの先端部６９と雄コネクタＭの底面３６との間に生じる隙間よりも僅かに厚くて、遮蔽板Ｓが、当該隙間に圧入されるようであれば、当該隙間内の異物が押し出され易くなって好ましい。しかし、遮蔽板Ｓの厚さは、当該隙間と同程度であってもよく、当該隙間より僅かに薄くてもよい。
【００３５】
上記実施形態によれば、雄コネクタＭと雌コネクタＦとを嵌合させた後に、遮蔽板Ｓを、遮蔽板用孔３４を介して雄コネクタＭのハウジング８内に挿入して、雌コネクタＦの先端部６９とハウジング８の底部３１との間に配置できる。したがって、その挿入によって、雌コネクタＦの先端部６９とハウジング８の底部３１との間にある金属異物を雄側端子３５から離れたハウジング８の内面（ハウジング８における遮蔽板挿抜方向の遮蔽板用孔３４側とは逆側の内面）側に押し出すことができ、かつ金属異物をその内面と、遮蔽板Ｓとで挟み込むことができる。よって、金属異物を端子から離れた状態で移動不可にできるので、雄側端子３５の端子間の短絡を抑制できる。更には、挿入された遮蔽板Ｓで複数の雄側端子３５の端子間を遮蔽でき、この点からも端子間の短絡を抑制できる。その結果、コネクタ構造１０を車両に用いたとしても雄コネクタＭの雄側端子３５が短絡することを抑制できる。
【００３６】
尚、本発明は、上記実施形態およびその変形例に限定されるものではなく、本願の特許請求の範囲に記載された事項およびその均等な範囲において種々の改良や変更が可能である。
【００３７】
例えば、上記実施形態では、統合状態のコネクタ構造１０を、雌コネクタＦの嵌合部５３を雄コネクタＭの内部室３３まで最後まで挿入した後、遮蔽板Ｓを雄コネクタＭの遮蔽板用孔３４（図２（ｂ）参照）を介して内部室３３に最後まで挿入することによって構成した。しかし、統合状態のコネクタ構造を、遮蔽板を雄コネクタの内部室に最後まで挿入した後、雌コネクタを当該内部室に最後まで挿入することによって構成してもよい。
【００３８】
この場合、遮蔽板Ｓの厚さを、雌コネクタの嵌合部の先端部と雄コネクタのハウジングの底部との隙間の厚さよりも僅かに厚くし、かつ、遮蔽板Ｓの材質を、可撓性を有する変形可能な絶縁材質で構成すると好ましい。遮蔽板Ｓを係る構成とすると、雄コネクタのハウジングの内部室に後から挿入される雌コネクタの嵌合部で、遮蔽板Ｓを雌コネクタの挿抜方向（遮蔽板Ｓの厚さ方向）に変形させることができ、遮蔽板Ｓを雄コネクタのハウジングの底部側に強く押圧できる。よって、雌コネクタの嵌合部と、雄コネクタのハウジングの底部との間に隙間が生じることがなく、雄側端子が金属異物によって短絡することを確実に防止できる。
【符号の説明】
【００３９】
８  ハウジング、  ３０  挿抜口、  ３１  ハウジングの底部、  ３４  遮蔽板用孔、  ３５  雄側端子、  ６９  雌コネクタの先端部、  Ｆ  雌コネクタ、  Ｍ  雄コネクタ、  Ｓ  遮蔽板、  Ｘ  挿抜方向、  Ｙ  直交方向。
【図１】
2018026224.tif 000003
【図２】
2018026224.tif 000004
【図３】
2018026224.tif 000005
【図４】
2018026224.tif 000006
【図５】
2018026224.tif 000007
【図６】
2018026224.tif 000008